(57)【要約】【課題】実視野の明るさが変化しても、重畳させた表示画像情報を、使用者が認識できる携帯情報端末装置を提供する。【解決手段】情報入力部４を有する把持部３と、表示面１ａを有する表示部１と、前記表示面に表示された情報を反射して使用者の眼Ｅに導くと共に、使用者の前方の実視野の対象物の像を透過して使用者の眼Ｅに導くビームコンバイナ２と、ビームコンバイナ開閉部材６と、表示部開閉部材５と、使用者の前方の実視野方向から入射する光を受光するように配置された受光素子７ａと、受光素子７ａからの信号に基づいて、前記表示面の明るさを変化させる信号処理ユニット１３とを備えるようにしている。【選択図】  図１
2006154069.tif 000002
【特許請求の範囲】
【請求項１】
情報入力部を有する把持部と、
前記情報入力部で入力した情報、又は外部から得た情報を表示する表示面を有する表示部と、
前記表示面に表示された情報を反射して使用者の眼に導くと共に、使用者の前方の実視野の対象物の像を透過して使用者の眼に導くビームコンバイナと、
前記ビームコンバイナを、前記表示部に対して開閉可能に支持するビームコンバイナ開閉部材と、
前記表示部を、前記把持部に対して開閉可能に支持する表示部開閉部材と、
使用者の前方の実視野方向から入射する光を受光するように配置された受光素子と、
前記受光素子からの信号に基づいて、前記表示面の明るさを変化させる信号処理ユニットとを備えたことを特徴とする携帯情報端末装置。
【発明の詳細な説明】
【技術分野】
【０００１】
本発明は、液晶パネルなどの表示素子を有する携帯情報端末装置に関するものである。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使う携帯情報端末装置は、パソコンに限られず、例えば携帯電話等も用いることができる。
【０００３】
そして、携帯電話においては、通話とディスプレイ認識とを同時に行なえる表示機能付き携帯情報端末装置が、例えば、特許文献１に提案されている。
【特許文献１】特開２００１−３０８９９７号公報
【０００４】
特許文献１に開示されている構成では、小型のディスプレイをホログラム素子により遠方に拡大投影する。これにより、例えば、通話をしながら表示画像情報を見ることができる。さらに、ホログラム素子を介して遠方の物体の透過像を同時に観察できる。この表示機能付き携帯情報端末装置は、実視野の像にデジタル情報を重畳させて表示する、いわゆるシースルービュアー（ｓｅｅ−ｔｈｒｏｕｇｈ  ｖｉｅｗｅｒ）として用いることができる。
【発明の開示】
【発明が解決しようとする課題】
【０００５】
一般に、シースルービュアーの使用時には、実視野の明るさは、観察する向きや天候によって、大きく変化する。そのため、実視野の明るさが、表示素子で表示される情報の明るさに対して明るすぎることがある。その結果、重畳させた表示画像情報を、使用者が認識できなくなることが生じるという問題があった。
【０００６】
本発明は、上記に鑑みてなされたものであって、実視野の明るさが変化しても、重畳させた表示画像情報を、使用者が認識できる携帯情報端末装置を提供することを目的とする。
【課題を解決するための手段】
【０００７】
上記目的を達成するため、本発明による携帯情報端末装置は、情報入力部を有する把持部と、前記情報入力部で入力した情報又は外部から得た情報を表示する表示面を有する表示部と、表示面に表示された情報を反射して使用者の眼に導くと共に、使用者の前方の実視野の対象物の像を透過して使用者の眼に導くビームコンバイナと、前記ビームコンバイナを、前記表示部に対して開閉可能に支持するビームコンバイナ開閉部材と、前記表示部を、前記把持部に対して開閉可能に支持する表示部開閉部材と、使用者の前方の実視野方向から入射する光を受光するように配置された受光素子と、前記受光素子からの信号に基づいて、前記表示面の明るさを変化させる信号処理ユニットを備えることを特徴とする。
【発明の効果】
【０００８】
本発明によれば、実視野の明るさが変化しても、重畳させた表示画像情報を使用者が良好に認識できる携帯情報端末装置を提供することができる。
【発明を実施するための最良の形態】
【０００９】
実施例の説明に先立ち、本発明の作用効果について説明する。
図１は、一実施形態にかかる携帯情報端末装置における説明図を示している。図１では、携帯情報端末装置の表示部とビームコンバイナとの位置、及びこれらと使用者の眼Ｅとの関係を示している。
【００１０】
携帯情報端末装置は、情報入力部４を有する把持部３と、表示面１ａを有する表示部１と、ビームコンバイナ２を有している。表示面１ａは、画像（情報）を表示する。ビームコンバイナ２は、表示面１ａに表示された画像（情報）を拡大するような光学的パワーを持つ。このビームコンバイナ２は、ハーフミラーで構成されている。また、把持部３と表示部１の接続部には、表示部開閉部材５が設けられている。また、表示部１とビームコンバイナ２の接続部には、ビームコンバイナ開閉部材６が設けられている。そして、表示部１には、受光素子７ａを備えた受光ユニット７が設けられている。
【００１１】
表示部１の表示面１ａに表示された画像（情報）は、ビームコンバイナ２で反射されて使用者の眼Ｅに導かれる。また、使用者の眼Ｅから、ビームコンバイナ２を隔てた所定の位置に、表示面１ａに表示された画像（情報）の虚像が、拡大形成される。よって、使用者は、この虚像を拡大観察できる。このように、使用者の眼Ｅには、ビームコンバイナ２を通過してくる光が入射すると共に、ビームコンバイナ２で反射された光が入射する。
【００１２】
表示部１の一面１ｃは、使用者がビームコンバイナ２を通して見ている領域、すなわち実視野と略対向する面である。そして、受光素子７ａを備えた受光ユニット７は、使用者の前方からの入射する光を受光する位置に配置されている。また、図１に示す携帯情報端末装置の構成は、使用者が把持部３を右手で掴んで携帯情報端末装置を保持するようにしている。
【００１３】
ここで、ビームコンバイナ２を通過して見える領域を、実視野とする。この実視野内の明るさは、時間によって異なる。例えば、実視野全体の明るさを日中と夕方とを比較した場合には、実視野全体の明るさは、日中の方が夕方より明るく、逆に、夕方の方が日中より暗い。
【００１４】
そこで、本実施形態の携帯情報端末装置では、受光素子７ａを備えた受光ユニット７を表示部１の面１ｃに配置して、実視野からの光を受光するようにしている。ここで、面１ｃは、実視野に略対向している面である。
【００１５】
このような状態において、受光ユニット７は、使用者の前方にある実視野を撮像する。そして、受光ユニット７は、使用者の前方の実視野から入射する光を受光して、受光した光量に応じた信号を出力する。
【００１６】
ここで、重畳させた表示画像情報を使用者が認識できるようにするためには、表示素子で表示される情報の明るさが、実視野の明るさよりも明るいことが必要である。そのため、表示素子で表示される情報の明るさを、実視野の明るさに対して相当量の差を持った明るさになるような値に設定しなくてはならない。
【００１７】
そして、信号処理ユニット１３において、実視野の明るさの算出が行われる。そして、信号処理ユニット１３は、算出された明るさに基いて、表示面１ａの明るさを決定する。このようにすれば、ビームコンバイナ２を通して見ている実視野の対象物と、ビームコンバイナ２で反射された情報の両方を、使用者は良好に認識することができる。
【００１８】
なお、本実施形態の携帯情報端末では、表示面１ａで表示された画像をビームコンバイナ２で反射して、使用者の眼Ｅに導くように構成している。このような構成の携帯情報端末装置においては、ビームコンバイナ２が、表示面１ａに対して偏心配置されているため、ビームコンバイナ２を介して観察される像に偏心収差が生じやすい。
【００１９】
しかるに、本実施形態のように、ビームコンバイナ２に非対称なパワーを持たせる。例えば、仮想線Ｌに沿う方向において、徐々にパワーが変化するように、ビームコンバイナ２の光学面を形成する。このようにすれば、表示面１ａに対しビームコンバイナ２が偏心していることにより偏心収差が発生しても、この偏心収差を補正することができる。
【００２０】
以下、本発明の実施例について、図面を用いて説明する。
【実施例１】
【００２１】
図２は、実施例１の携帯情報端末装置を、側方からみた概略構成図である。ここで、（ａ）は表示部を閉じた状態、（ｂ）は表示部を展開した状態、（ｃ）は（ｂ）の状態からビームコンバイナを展開した状態を示している。図３は、携帯情報端末装置における表示部とビームコンバイナ、及びビームコンバイナと使用者の眼Ｅの位置との関係を示す説明図である。図４は、表示部開閉部材５と、ビームコンバイナ開閉部材６の構造を示す説明図である。
【００２２】
実施例１の携帯情報端末装置は、情報入力部４を有する把持部３と、表示面１ａを有する表示部１と、光学的パワーを有するビームコンバイナ２と、表示部開閉部材５を有している。ここで、表示面１ａは、情報入力部４で入力した情報、又は外部から受信した情報を表示する。また、表示部開閉部材５は、表示部１を把持部３に対して開閉可能に支持している。このような構成により、実施例１の携帯情報端末装置は、所謂折り畳みタイプの携帯電話機として構成されている。
【００２３】
そして、更に、ビームコンバイナ２が、ビームコンバイナ開閉部材６を介して、表示部１に接続されている。この接続位置は、表示部１の一端側であって、表示部開閉部材５と対向する位置である。このビームコンバイナ開閉部材６によって、表示部１に対して、所定の角度でビームコンバイナ２を固定することができる。このような構成により、実施例１の携帯情報端末装置は、図３に示すように、シースルービュアーとしても構成されている。
【００２４】
表示部開閉部材５は、図４に示すように、円筒部５ａと、円筒部５ｂと、バネ５ｃと、球状部材５ｄと、ピン５ｅと、止め具５ｆとを有している。ここで、円筒部５ｂは、表示部１の一端に一体形成されている。また、円筒部５ａは、把持部３の一端に一体形成されている。
【００２５】
円筒部５ａには、長手方向に沿って、中央に貫通孔５ａ1が形成されている。そして、円筒部５ａの一端には、ピン５ｅの頭部を収納するための凹部５ａ2が、他端には、バネ５ｃを取り付けるための取付部（図示省略）が、それぞれ形成されている。
【００２６】
円筒部５ｂの中央には、長手方向に沿って、中央に貫通孔５ｂ1が形成されている。そして、円筒部５ｂの一端には、止め具５ｆを収納するための凹部（図示省略）が、他端には、球状部材５ｄの一部を嵌合可能な係止溝５ｂ2と５ｂ3とが、それぞれ形成されている。
【００２７】
そして、表示部開閉部材５では、バネ５ｃを円筒部５ａの取付部に取り付けると共に、バネ５ｃの先端に球状部材５ｄを取り付けている。そして、この状態で、ピン５ｅを円筒部５ａの凹部５ａ2側から、円筒部５ａと５ｂの貫通孔５ａ1及び５ｂ1に通し、その先端を止め具５ｆで止めている。このような構成により、表示部開閉部材５は、表示部１を把持部３に対し開閉可能に支持している。
【００２８】
また、表示部開閉部材５では、表示部１を展開したときに、球状部材５ｄが係止溝５ｂ2と５ｂ3に嵌合し、且つ、バネ５ｃに付勢される。このような構成とすることで、表示部１と把持部３を、任意の角度で固定することができるようになっている。
【００２９】
なお、表示部開閉部材５の具体的な構成は、上記構成に限定されるものではない。例えば、円筒部５ａ及び５ｂのそれぞれに磁石を備えた係止部を設け、互いの係止部が当接したときに、表示部１と把持部３が固定されるように構成してもよい。
【００３０】
ビームコンバイナ開閉部材６は、円筒部６ａと、係止部６ｂと、円筒部６ｃと、係止爪６ｃ2と、図示省略したピン及び止め具を有している。ここで、円筒部６ａと係止部６ｂは、表示部１の他端に一体形成されている。一方、円筒部６ｃは、ビームコンバイナ２の一端に一体形成されている。また、係止爪６ｃ2は、円筒部６ｃに一体形成されている。
円筒部６ａ及び６ｃには、中央に貫通孔６ａ1及び６ｃ1がそれぞれ形成されている。係止部６ｂ及び係止爪６ｃ2にはそれぞれ磁石が設けられている。
【００３１】
そして、ビームコンバイナ開閉部材６は、図示省略したピンを円筒部６ａ及び６ｃの貫通孔６ａ1及び６ｃ1に通し、その先端を図示省略した止め具で止めて構成されている。このような構成により、ビームコンバイナ開閉部材６は、ビームコンバイナ２を、表示部１に対し開閉可能に支持している。
【００３２】
また、ビームコンバイナ開閉部材６は、ビームコンバイナ２を展開したときに、係止爪６ｃ2が係止部６ｂに当接し、且つ、互いの磁力でその状態を保持することで、ビームコンバイナ２を表示部１に対して固定することができるようになっている。
【００３３】
なお、ビームコンバイナ開閉部材６は、上記構成に限定されるものではない。例えば、表示部開閉部材５における球状部材５ｄが係止溝５ｂ2及び５ｂ3に嵌合し、且つ、バネ５ｃに付勢される構成と同様に構成してもよい。
【００３４】
このような構成によって、図３に示すように、表示面１ａに表示された情報が、使用者の眼Ｅ方向に反射されるようになっている。このように、実施例１の携帯情報端末装置は、携帯電話としての使用と、シースルービュアーとしての使用が可能になる。
【００３５】
そして、本実施例１の携帯情報端末装置では、撮像ユニット８が、図１の受光ユニット７に相当する構成として、表示部１内に設けられている。この撮像ユニット８は、面１ｃを介して、外部を撮像する。この面１ｃは、実視野と略対向している面である。
【００３６】
図５は、実施例１の情報表示装置に備えられた撮像ユニットの構造を示す説明図であって、（ａ）は撮像ユニットの概略構成図、（ｂ）はビームコンバイナを通して使用者が実視野を見る方向と、撮像レンズの光軸方向との関係を示す。撮像ユニット８は、図５（ａ）に示すように、撮像レンズ８ａと、撮像素子８ｂと、カバーガラス８ｃとを有する。撮像レンズ８ａは、プリズムと、負レンズと、正レンズとからなる。なお、カバーガラス８ｃは、撮像用の窓部となる。また、撮像素子８ｂは受光素子である。本実施例１では、撮像素子８ｂはＣＣＤであって、複数の受光部で構成されている。
【００３７】
なお、本実施例１では、表示部１を展開した時に、表示部１が把持部３に対して、１８０°以上の角度で折り曲がった状態になっている。そのため、図５（ｂ）に示すように、矢印Ｘ１の方向と矢印Ｘ２の方向が異なる。ここで、矢印Ｘ１の方向は、ビームコンバイナ２を通して、使用者が実視野を見る方向である。一方、矢印Ｘ２の方向は、面１ｃにおける法線の方向である。
【００３８】
そのため、撮像レンズ８ａの光軸が矢印Ｘ２の方向と平行になるように、撮像レンズ８ａを配置すると、使用者が見ている実視野を撮像できない。そこで、撮像レンズ８ａの光軸が矢印Ｘ３の方向と平行になるように、撮像レンズ８ａを配置するようにすることで、撮像素子８ｂは実視野内の対象物を撮像する。
【００３９】
また、携帯情報端末装置は、メモリ１２を内蔵している。よって、撮像素子８ｂで撮像された画像は、一旦、メモリ１２に保存される。また、携帯情報端末装置は、信号処理ユニット１３を内蔵している。そして、この信号処理ユニット１３で、所定の処理が行われる。
【００４０】
図６は、信号処理ユニット１３で行う処理工程を示すフローチャートである。本実施例１では、実視野の明るさに基いて、認識可能な表示明るさを求めている。ここで、認識可能な表示明るさとは、実視野の明るさに対して、使用者が表示内容を認識することができる表示面１ａの明るさのことである。
【００４１】
まず、信号処理ユニット１３は、撮像した画像データをメモリから読み出す（ステップＳ１）。そして、信号処理ユニット１３は、画像の各画素の明るさから、画像全体の明るさＩOを求める（ステップＳ２）。画像全体の明るさＩOは、全ての画素の明るさをたし合わせることで求まる。この画像全体の明るさＩOが、実視野の明るさの明るさになる。続いて、信号処理ユニット１３は、認識可能な表示明るさＩPを求める（ステップＳ３）。そのために、信号処理ユニット１３は、画像全体の明るさＩOの値と、これに対応する認識可能な表示明るさＩPの値を、予めルックアップテーブルとして保持している。よって、信号処理ユニット１３は、ルックアップテーブルを参照して、画像全体の明るさＩOに対応する認識可能な表示明るさＩPを求める。そして、信号処理ユニット１３は、認識可能な表示明るさＩPで、表示素子の表示を行う（ステップＳ４）。
【００４２】
このように、明るさが調整された表示面１ａに表示された情報は、ビームコンバイナ２によって、使用者の眼に向けて反射される。よって、実視野の明るさが変化しても、使用者は、実視野の対象物と表示面１ａに表示された情報の両方を、良好に見ることができる。
【００４３】
なお、画像全体の明るさＩOは、連続的に変化する。そのため、これに対応する認識可能な表示明るさＩPの値も連続的に変化する。この場合、画像全体の明るさＩOとこれに対応する認識可能な表示明るさＩPの組み合わせは、無限に存在することになる。よって、このままでは、画像全体の明るさＩOと、認識可能な表示明るさＩPの組み合わせを、ルックアップテーブルにして保持することができない。
そこで、以下に示すように、画像全体の明るさＩOを、ある範囲ごとに区切る。そして、各範囲に対して、認識可能な表示明るさＩPの値を割り当てるようにする。
画像全体の明るさＩO          認識可能な表示明るさＩP
ＩO1≦ＩO＜ＩO2                       ＩP1
ＩO2≦ＩO＜ＩO3                       ＩP2
ＩO3≦ＩO＜ＩO4                       ＩP3
ＩO4≦ＩO＜ＩO5                       ＩP4
・・・・・・・
また、画像全体の明るさＩOを変数として、認識可能な表示明るさＩPを関数で表すようにしても良い。例えば、画像全体の明るさＩOに所定の係数を乗じ、その結果を認識可能な表示明るさＩPとしても良い。あるいは、画像全体の明るさＩOに所定量を加算し、その結果を認識可能な表示明るさＩPとしても良い。あるいは、所定の係数の乗算と、所定量の加算を組み合わせて、認識可能な表示明るさＩPを求めても良い。このような構成とすれば、ルックアップテーブルが不要となる。
なお、使用者は、実視野と表示面１ａを、ビームコンバイナ２を介して観察する。よって、使用者の眼Ｅに届く実視野の明るさ、及び表示面１ａの明るさはビームコンバイナ２の光学特性に依存する。よって、光学特性を考慮した上で、画像全体の明るさＩOと認識可能な表示明るさＩPの関係を求める必要がある。
また、認識可能な表示明るさＩPは、表示面１ａの明るさであって、使用者の眼Ｅの位置における明るさではない。よって、認識可能な表示明るさＩPは、ビームコンバイナ２を介して観察した時に、表示面１ａに表示された内容を使用者が認識できることを考慮して設定されていることは言うまでもない。
【００４４】
なお、図５に示す構成では、撮像用の窓部（カバーガラス８ｃ）が側面１ｃに設けられている。しかしながら、このような構成に限定されるわけではない。図７は、情報表示装置に備えられた撮像ユニット８の構造の変形例を示す説明図であって、例えば、図７（ａ）に示すように、プリズムを表示部１から突出させるようにすれば、表示部１の別の側面１ｃ'に、撮像用の窓部を設けることができる。また、撮像ユニット８を、図７（ｂ）に示すように、図５の配置と直交する方向に配置しても良い。いずれの場合にも、撮像レンズ８ａの光軸が、実視野の方向に向くように、撮像ユニット８を配置している。
【００４５】
以上のように、本実施例１の携帯情報端末装置は、シースルービュアーとして使用する場合、携帯情報端末装置を、側頭部に当接させて保持する構成になっていて、この状態で、撮像レンズ８ａの光軸が実視野方向に向くように、撮像ユニット８が配置されている。
【００４６】
そのため、本実施例１の携帯情報端末装置によれば、撮像ユニット８によって、使用者が見ている実視野を撮像することができる。すなわち、撮像した画像から実視野方向の明るさを検出することができる。そのため、実視野の明るさに応じて、重畳させる情報の明るさを調整することができる。その結果、使用者は、実視野と撮像した画像による情報の両方の情報を、良好に見ることが出来る。
【実施例２】
【００４７】
図８は、実施例２にかかる携帯情報端末装置の概略構成を側方からみた斜視図である。ここで、（ａ）は表示部を閉じた状態、（ｂ）は表示部を展開した状態、（ｃ）は（ｂ）の状態からビームコンバイナと表示面構成部を展開した状態を示している。図９は、携帯情報端末装置における表示部とビームコンバイナ、及びビームコンバイナと使用者の眼Ｅの位置との関係を示す説明図である。
【００４８】
実施例２の携帯情報端末装置は、情報入力部４を有する把持部３と、表示部１と、光学的パワーを有するビームコンバイナ２と、表示部開閉部材５とを有している。ここで、表示部１は、表示面１ａと、表示面１ａの周りを囲む外枠部１ｂとを有する。なお、図中１ａ'は表示面１ａを含む表示面構成部である。ここで、表示面１ａは、情報入力部４で入力した情報、又は外部から受信した情報を表示する。また、表示部開閉部材５は、表示部１の外枠部１ｂを把持部３に対して開閉可能に支持している。このような構成により、実施例１の携帯情報端末装置は、所謂折り畳みタイプの携帯電話機として構成されている。
【００４９】
そして、更に、ビームコンバイナ２が、ビームコンバイナ開閉部材６を介して、表示部１に接続されている。この接続位置は、表示部１の一端側であって、表示部開閉部材５と対向する位置である。このビームコンバイナ開閉部材６によって、表示部１に対して所定の角度で、ビームコンバイナ２を固定することができる。このような構成により、実施例２の携帯情報端末装置は、図９に示すように、シースルービュアーとしても構成されている。
【００５０】
表示部開閉部材５と、ビームコンバイナ開閉部材６は、実施例１で説明したとおりである。また、表示面回動手段９は、表示面１ａを外枠部１ｂに対して回動可能に支持し、且つ、表示面１ａを所定量回動させたときの状態を保持する構成を有する。表示面回動手段９としては、公知の回転機構を用いればよい。よって、具体的な構成について、詳細な説明は省略する。
【００５１】
そして、実施例２の携帯情報端末装置では、ＰＤユニット１４が、図１の受光ユニット７に相当する構成として、ビームコンバイナ２に設けられている。このＰＤユニット１４は、受光素子１４ａと透明電極１４ｂとから構成されている。本実施例２では、受光素子１４ａはフォトダイオード（ＰＤ）であって、単一の受光部で構成されている。
【００５２】
なお、ビームコンバイナ２を展開した時、ビームコンバイナ２は、実視野方向に面している。ただし、ビームコンバイナ２の面は平面でなく、所定の曲率を有している。よって、両端部における面の法線の向きは、実視野方向と異なる場合がある。よって、受光素子１４ａは、ビームコンバイナ２の上端部の中央、または下端部の中央に設けるのが好ましい。
【００５３】
ＰＤユニット１４で検出した光量に基づいて、表示面１ａの明るさが調整される。明るさの調整についての処理は、本実施例１で説明したとおりである。本実施例２では、フォトダイオード１４ａを用いているため、受光ユニットとしての構成を簡素化することができる。
【００５４】
なお、ビームコンバイナ２に設けるフォトダイオード１４ａの数は、１つに限定されない。例えば、ビームコンバイナ２の四隅に設けても良い。また、フォトダイオード１４ａを設ける部材も、ビームコンバイナ２に限定されない。例えば、実施例１と同様に、表示部１にフォトダイオード１４ａを設けても良い。
【００５５】
以上のように、本実施例２の携帯情報端末装置は、シースルービュアーとして使用する場合、ビームコンバイナ２が使用者の前方に位置する。ここで、ビームコンバイナ２の中央では、面の法線の向きが実視野方向と同じである。そして、ビームコンバイナ２の上端あるいは下端の中央に、フォトダイオード１４ａが設けられている。よって、フォトダイオード１４ａによって、実視野方向の明るさを検出することができる。
【００５６】
そのため、本実施例２の携帯情報端末装置によれば、実視野の明るさに応じて、重畳させる情報の明るさを調整することができる。その結果、使用者は、両方の情報を、良好に見ることが出来る。
【実施例３】
【００５７】
図１０は実施例３にかかる携帯情報端末装置の概略構成を側方からみた斜視図である。ここで、 （ａ）は表示部を閉じた状態、（ｂ）は表示部を展開した状態、（ｃ）は（ｂ）の状態からビームコンバイナを展開した状態を示している。図１１は、携帯情報端末装置における表示部とビームコンバイナ、及びビームコンバイナと使用者の眼Ｅの位置との関係を示す説明図である。
【００５８】
実施例３の携帯情報端末装置は、情報入力部４を有する把持部３と、表示面１ａを有する表示部１と、光学的パワーを有するビームコンバイナ２と、表示部開閉手段５とを有している。ここで、表示面１ａは、情報入力部４で入力した情報、又は外部から受信した情報を表示する。また、表示部開閉手段５は、表示部１を把持部３に対して開閉可能に支持する。このような構成により、実施例１の携帯情報端末装置は、所謂折り畳みタイプの携帯電話機として構成されている。
【００５９】
そして、ビームコンバイナ２が、ビームコンバイナ開閉部材６と、ビームコンバイナ連結部材１０及びビームコンバイナ移動部材１１を介して、表示部１に接続されている。このような構成により、実施例３の携帯情報端末装置は、図１１に示すように、シースルービュアーとしても構成されている。
【００６０】
表示部開閉部材５は、実施例１で説明したとおりである。また、ビームコンバイナ連結部材１０は、棒状部材である。また、ビームコンバイナ開閉部材６、ビームコンバイナ移動部材１１は、公知の回転機構を用いればよい。よって、具体的な構成について、詳細な説明は省略する。
【００６１】
ビームコンバイナ連結部材１０には、一端にビームコンバイナ２が接続され、他端に表示部１が接続されている。そして、ビームコンバイナ移動部材１１は、ビームコンバイナ連結部材１０を表示部１に対して、移動可能に支持している。移動方向は、ビームコンバイナ２が表示面１ａから離れる方向である。また、ビームコンバイナ移動部材１１は、ビームコンバイナ連結部材１０を所定量移動させた時に、その位置での状態を保持できるような機構を有している。
【００６２】
また、ビームコンバイナ開閉部材６は、ビームコンバイナ２をビームコンバイナ連結部材１０に対して開閉可能に支持している。また、ビームコンバイナ開閉部材６は、ビームコンバイナ２を所定量展開したとき、その位置での状態を保持できるような機構を有している。
【００６３】
そして、実施例３の携帯情報端末装置では、実施例１の受光ユニットとしての撮像ユニット８が表示部１内に設けられ、更に、実施例２の受光ユニットとしてのＰＤユニット１４がビームコンバイナ２に設けられている。ここで、撮像ユニット８は、実施例１と同様に、面１ｃを介して、実視野方向を撮像するように配置されている。また、ＰＤユニット１４も、実視野方向からの光を受光できるように配置されている。
【００６４】
本実施例３の携帯情報端末装置においても、本実施例１や本実施例２と同様の効果を得ることができる。
【図面の簡単な説明】
【００６５】
【図１】本発明の一実施形態にかかる携帯情報端末装置における説明図である。
【図２】実施例１の携帯情報端末装置を、側方からみた概略構成図であって、（ａ）は表示部を閉じた状態、（ｂ）は表示部を展開した状態、（ｃ）は（ｂ）の状態からビームコンバイナを展開した状態である。
【図３】実施例１の携帯情報端末装置における表示部とビームコンバイナ、及びビームコンバイナと使用者の眼の位置との関係を示す説明図である。
【図４】表示部開閉部材と、ビームコンバイナ開閉部材の構造を示す説明図である。
【図５】実施例１の情報表示装置に備えられた撮像ユニットの構造を示す説明図であって、（ａ）は撮像ユニットの概略構成図、（ｂ）はビームコンバイナを通して使用者が実視野を見る方向と、撮像レンズの光軸方向との関係を示す。
【図６】信号処理ユニットで行う処理工程を示すフローチャートである。
【図７】情報表示装置に備えられた撮像ユニットの構造の変形例を示す説明図であって、（ａ）は撮像用の窓部を表示部の別の側面に設けた場合、（ｂ）は図５の撮像ユニット配置位置と直交する方向に配置した場合である。
【図８】実施例２にかかる携帯情報端末装置の概略構成を側方からみた斜視図であって、 （ａ）は表示部を閉じた状態、（ｂ）は表示部を展開した状態、（ｃ）は（ｂ）の状態からビームコンバイナを展開した状態である。
【図９】実施例２の携帯情報端末装置における表示部とビームコンバイナ、及びビームコンバイナと使用者の眼の位置との関係を示す説明図である。
【図１０】実施例３にかかる携帯情報端末装置の概略構成を側方からみた斜視図であって、（ａ）は表示部を閉じた状態、（ｂ）は表示部を展開した状態、（ｃ）は（ｂ）の状態からビームコンバイナを展開した状態である。
【図１１】実施例３の携帯情報端末装置における表示部とビームコンバイナ、及びビームコンバイナと使用者の眼の位置との関係を示す説明図である。
【符号の説明】
【００６６】
１              表示部
１ａ            表示面
１ａ'           表示面構成部
１ｂ            外枠部
１ｃ(１ｃ')     表示部の一面（側面）
２              ビームコンバイナ
３              把持部
３ａ，３ｂ      把持部の一面（側面）
４              情報入力部
５              表示部開閉部材
５ａ，５ｂ      円筒部
５ａ1，５ｂ1    貫通孔
５ａ2           凹部
５ｂ2，５ｂ3    係止溝
５ｃ            バネ
５ｄ            球状部材
５ｅ            ピン
５ｆ            止め具
６              ビームコンバイナ開閉部材
６ａ，６ｃ      円筒部
６ａ1，６ｃ1    貫通孔
６ｂ            係止部
６ｃ2           係止爪
７              受光ユニット
８              撮像ユニット
８ａ            撮像レンズ
８ｂ            撮像素子
８ｃ            カバーガラス
９              表示面回動手段
１０            ビームコンバイナ連結部材
１１            ビームコンバイナ移動部材
１２            メモリ
１３            信号処理ユニット
１４            ＰＤユニット
１４ａ          受光素子（フォトダイオード）
１４ｂ          透明電極
Ｅ              使用者の眼
Ｌ              仮想線
ＩO             画像全体の明るさ
ＩP             認識可能な表示明るさ
【図１】
2006154069.tif 000003
【図２】
2006154069.tif 000004
【図３】
2006154069.tif 000005
【図４】
2006154069.tif 000006
【図５】
2006154069.tif 000007
【図６】
2006154069.tif 000008
【図７】
2006154069.tif 000009
【図８】
2006154069.tif 000010
【図９】
2006154069.tif 000011
【図１０】
2006154069.tif 000012
【図１１】
2006154069.tif 000013